(57)【要約】【課題】  安全且つ簡便に小動物を拘束できて、且つ診察又は治療作業に十分な作業空間を確保することのできる小動物の拘束檻を得ることを目的とした。【解決手段】  長方形の基板の四隅に植設した４本の支柱と、前記各支柱上端部間を連結する梁と、檻の右側の側面格子と、檻の左側の側面格子枠と、前扉と後封鎖板とからなる小動物の拘束檻において、前記側面格子枠を両端の支柱間に内接する大きさにすると共に、前記側面格子枠の右側上部及び下部を掛止手段により掛止し、且つ前記側面格子枠が前記側面格子に対して平行に摺動して、前記側面格子枠と前記側面格子との間隔を自在に狭めることを可能にしたことを特徴とする小動物の拘束檻である。【選択図】  図１
2005073686.tif 000002
【特許請求の範囲】
【請求項１】
長方形の基板の四隅に植設した４本の支柱と、前記各支柱上端部間に架設した梁と、檻の右側の側面格子と、檻の左側の側面格子枠と、前扉と後封鎖板とからなる小動物の拘束檻において、前記側面格子枠を両端の支柱間に内接する大きさにすると共に、前記側面格子枠の右側上部及び下部を掛止手段により掛止し、且つ前記側面格子枠が前記側面格子に対して平行に摺動して、前記側面格子枠と前記側面格子との間隔を自在に狭めることを可能にしたことを特徴とする小動物の拘束檻。
【請求項２】
檻の右側の側面格子は、支柱間に上横桟、中横桟及び下横桟を架設し、左側の側面格子枠は左右の側面格子枠辺に上横桟、中横桟及び下横桟を架設して側面格子枠を形成すると共に、前記側面格子と側面格子枠に、所定数の縦桟を夫々上横桟、中横桟及び下横桟に垂直に連通して、且つ昇降自在に緩挿し、前記各縦桟を引上げた場合該縦桟の自然落下を阻止する落下防止手段を設けたことを特徴とする請求項１記載の小動物の拘束檻。
【請求項３】
側面格子枠の掛止手段は、檻前面の左右の支柱間の上部及び下部に掛止用バーを架設すると共に、断面形状がコの字形所定の長さの掛止部材を、前記側面格子枠の右枠辺の上部及び下部に、且つ檻の内側へ水平に突設し、該掛止部材が前記掛止用バーに跨乗した構成としたことを特徴とする請求項１記載の小動物の拘束檻。
【請求項４】
落下防止手段は、両側の上横桟の上面又は下面に、縦桟の断面形状よりやや小さめの相似した形の透孔を設けた弾性帯からなる縦桟停止帯を、前記透孔を縦桟の緩挿孔に対応した位置に設けたものを固定したことを特徴とする請求項１記載の小動物の拘束檻。
【請求項５】
前扉は、枠体に縦桟を格子状に配し、檻の前面の支柱の両側に固定した縦溝状の支柱柱の縦溝に嵌装した前扉を、上方に引上げ開扉するスライド方式の扉としたことを特徴とする請求項１記載の小動物の拘束檻。
【請求項６】
長方形の基板の四隅に植設した支柱と、
前記各支柱上端部間に架設した梁と、
檻の右側の支柱間に上横桟、中横桟及び下横桟を架設した側面格子と、
檻の左側の両端の支柱間に内接する大きさにすると共に、左右の側面格子枠辺に上横桟、中横桟及び下横桟を架設して形成した側面格子枠と、
檻の両側の上横桟、中横桟及び下横桟に所定数の縦桟を昇降自在に、且つ垂直に連通した緩挿した縦桟と、
前記縦桟を引上げた場合、該縦桟の自然落下を阻止する縦桟の断面形状よりやや小さめのこれに相似した形の透孔を設けた弾性帯を、縦桟の緩挿孔の対応した位置に上横桟の上部又は下部に固定したものからなる縦桟停止帯と、
檻の前面の左右の支柱の上部間及び下部間に架設した掛止用バーと、
前記側面格子枠の右枠辺の上部及び下部に、断面形状がコの字形の所定の長さの掛止部材を檻の内側へ水平に突接して固定し、前記掛止部材が前記掛止用バーに跨乗した構成とした掛止部材と、
檻の前面の両支柱間に夫々固定した縦溝状の支持柱の溝に嵌装した枠体に縦桟を配した格子状の扉を、上方に引上げ開扉するスライド方式の前扉と、
檻の床部全体に嵌装する載板と、該載板と蝶番で連結され、且つ垂直に立てて檻の後部を封鎖する後封鎖板と、
拘束檻の頂部を覆う透明の合成樹脂製の屋根カバー、
とを備えたことを特徴とする請求項１記載の小動物の拘束檻。
【請求項７】
前扉の縦格子裏側に当接して顎載台を嵌挿するパイプを固定し、前記パイプに嵌挿する足を設けた顎載台とを備えたことを特徴とする請求項１又は６記載の小動物の拘束檻。
【請求項８】
拘束檻を載せて移動するキャスター付台車を備えたことを特徴とする請求項１又は６記載の小動物の拘束檻。
【請求項９】
拘束檻を構成する部材の材質を鉄、ステンレス、合金、合成樹脂、炭素繊維で強化した合成樹脂、木材とし、又は材質の異なる部材を組合わせて拘束檻を構成したことを特徴とする請求項１又は６記載の小動物の拘束檻。
【発明の詳細な説明】
【技術分野】
【０００１】  この発明は、犬、猫等のいわゆる小動物の診察、治療・手術などの際に、暴れたり動いたりするのを防ぐ為、これを安全且つ確実に拘束・固定し又は養生用の檻などに使用できる小動物の拘束檻に関する。
【背景技術】
【０００２】  従来、小動物の診察又は治療・手術を行う際、これが勝手に動かない様に拘束・固定する必要がある。麻酔を用いない場合は、診察する小動物を、拘束用器具又は拘束用装置等を使用することが少なく、獣医師の助手又は補助者等が診療台に人手で押さえ付けて拘束・固定する方法が多く採られている。【０００３】  この他の方法として、秤量機能を備えた台の４本の脚部が伸縮して台が昇降できる構造の動物用診察手術台が知られている（特許文献１参照）。【０００４】  また、基板が前後及び／又は左右に移動可能に構成された動物用診療ユニットなどの提案がなされている（特許文献２参照）。【０００５】  また、２枚の格子状の枠体の一端を蝶番で固定し、他端を自在に開閉できる構造の格子状の枠体で、動物を両側面から挟んで固定する小動物の保定装置の提案が知られている（特許文献３参照）。【０００６】
【特許文献１】        実用新案登録第３０４９８８４号公報（第３頁）
【特許文献２】        特開平１１−２２１２４２号公報（第１頁）
【特許文献３】        特許第３２９５８４４号（第１頁）
【発明の開示】
【発明が解決しようとする課題】
【０００７】  昨今のペットブームを背景として、愛玩用の小動物が多数飼育されている一方、これら小動物の予防注射、病気の診断、治療・手術などを必要とする機会が増加している。【０００８】  他方、人手不足を補う為、これらの小動物を獣医師一人で確実且つ安全に拘束・固定する器具又は手段の必要性が急速に増大して来ている。さらに、小動物は診療の際、恐怖心から暴れたり又は治療者に噛み付く事故も発生している。治療者の安全を確保する見地から、また、治療を受ける小動物が、急に動いたりした場合に発生する治療中の不測の事故を防止する目的で、両者の安全を確保する為、小動物を安全に且つ確実に拘束・固定する手段が求められる。【０００９】  前記従来の方法にあっては、診療又は手術中に動物が不意に動いたり又は暴れ出したりした場合、診療に支障が生ずることが、しばしば発生していた。【００１０】  また、従来提案されている拘束檻では、例えばチワワ種などの小型の小動物にも対応するため、拘束枠の格子の幅を狭くすると、狭くした間隔の格子が邪魔になって、治療の為の十分な作業用空間の確保ができない等の問題点があった。
【課題を解決するための手段】
【００１１】  そこで、この発明では前記の問題点の解決の為、拘束檻の両側の総ての縦桟を、横桟に昇降自在に遊挿し、この縦桟を引上げ、引上げた縦桟を任意の位置で停止させることが自在にできる構成にし、また引上げた縦桟を引き下げて、ものと格子状態に戻したりすることができる様にした。これにより、小動物を拘束したままの状態で、檻の格子に妨げられることなく、診察及び治療に必要な作業空間の創出を可能にして、前記課題を解決した。【００１２】  さらに、側面格子枠を、人力で押すと対向する側面格子の垂直面と平行に摺動させて自在に前進又は後退が可能な構成にし、小動物の大きさに応じて拘束檻の側面の間隔を狭めることにより、収容した小動物の体を体側面から挟み付けて固定できる構成にした。【００１３】  従って、この発明によれば、助手又は補助者等がいなくとも、また、暴れる小動物であっても、獣医師一人で、安全に且つ確実にこれを拘束・固定し、診療行為に必要な作業空間を創出して、診療等を行うことが可能となった。
この発明の拘束檻を使用すれば、大きさの異なる小動物にも対応でき確実に拘束できる。【００１４】  即ち、長方形の基板の四隅に植設した４本の支柱と、前記各支柱上端部間に架設した梁と、檻の右側の側面格子と、檻の左側の側面格子枠と、前扉と後封鎖板とからなる小動物の拘束檻において、前記側面格子枠を両端の支柱間に内接する大きさにすると共に、前記側面格子枠の右側上部及び下部を掛止手段により掛止し、且つ前記側面格子枠が前記側面格子に対して平行に摺動して、前記側面格子枠と前記側面格子との間隔を自在に狭めることを可能にしたことを特徴とする小動物の拘束檻であり、檻の右側の側面格子は、支柱間に上横桟、中横桟及び下横桟を架設し、左側の側面格子枠は左右の側面格子枠辺に上横桟、中横桟及び下横桟を架設して側面格子枠を形成すると共に、前記側面格子と側面格子枠に、所定数の縦桟を夫々上横桟、中横桟及び下横桟に垂直に連通して、且つ昇降自在に緩挿し、前記各縦桟を引上げた場合該縦桟の自然落下を阻止する落下防止手段を設けたことを特徴とする請求項１記載の小動物の拘束檻である。また、側面格子枠の掛止手段は、檻前面の左右の支柱間の上部及び下部に掛止用バーを架設すると共に、断面形状がコの字形所定の長さの掛止部材を、前記側面格子枠の右枠辺の上部及び下部に、且つ檻の内側へ水平に突設し、該掛止部材が前記掛止用バーに跨乗した構成としたことを特徴とする請求項１記載の小動物の拘束檻であり、落下防止手段は、両側の上横桟の上面又は下面に、縦桟の断面形状よりやや小さめの相似した形の透孔を設けた弾性帯からなる縦桟停止帯を、前記透孔を縦桟の緩挿孔に対応した位置に設けたものを固定したことを特徴とする請求項１記載の小動物の拘束檻である。さらに、前扉は、枠体に縦桟を格子状に配し、檻の前面の支柱の両側に固定した縦溝状の支柱柱の縦溝に嵌装した前扉を、上方に引上げ開扉するスライド方式の扉としたことを特徴とする請求項１記載の小動物の拘束檻であり、長方形の基板の四隅に植設した支柱と、前記各支柱上端部間に架設した梁と、檻の右側の支柱間に上横桟、中横桟及び下横桟を架設した側面格子と、檻の左側の両端の支柱間に内接する大きさにすると共に、左右の側面格子枠辺に上横桟、中横桟及び下横桟を架設して形成した側面格子枠と、檻の両側の上横桟、中横桟及び下横桟に所定数の縦桟を昇降自在に、且つ垂直に連通した緩挿した縦桟と、前記縦桟を引上げた場合、該縦桟の自然落下を阻止する縦桟の断面形状よりやや小さめのこれに相似した形の透孔を設けた弾性帯を、縦桟の緩挿孔の対応した位置に上横桟の上部又は下部に固定したものからなる縦桟停止帯と、檻の前面の左右の支柱の上部間及び下部間に架設した掛止用バーと、前記側面格子枠の右枠辺の上部及び下部に、断面形状がコの字形の所定の長さの掛止部材を檻の内側へ水平に突接して固定し、前記掛止部材が前記掛止用バーに跨乗した構成とした掛止部材と、檻の前面の両支柱間に夫々固定した縦溝状の支持柱の溝に嵌装した枠体に縦桟を配した格子状の扉を、上方に引上げ開扉するスライド方式の前扉と、檻の床部全体に嵌装する載板と、該載板と蝶番で連結され、且つ垂直に立てて檻の後部を封鎖する後封鎖板と、拘束檻の頂部を���う透明の合成樹脂製の屋根カバーとを備えたことを特徴とする請求項１記載の小動物の拘束檻である。他の発明は、前扉の縦格子裏側に当接して顎載台を嵌挿するパイプを固定し、前記パイプに嵌挿する足を設けた顎載台とを備えたことを特徴とする請求項１又は６記載の小動物の拘束檻であり、拘束檻を載せて移動するキャスター付台車を備えたことを特徴とする請求項１又は６記載の小動物の拘束檻であり、拘束檻を構成する部材の材質を鉄、ステンレス、合金、合成樹脂、炭素繊維で強化した合成樹脂、木材とし、又は材質の異なる部材を組合わせて拘束檻を構成したことを特徴とする請求項１又は６記載の小動物の拘束檻である。
【発明の効果】
【００１５】  この発明によれば、檻の両側面及び前面を格子状としたので、拘束される小動物に不安感や恐怖感を与える度合いが少なく、小動物をおとなしく、確実に拘束・固定した状態に保つので、獣医及び小動物の双方の安全を確保できる効果がある。【００１６】  また、この発明によれば、補助者等の人手を必要とせず、暴れる小動物に対しても獣医師一人で安全確実に小動物を拘束及び固定できる。【００１７】  さらに、側面格子及び側面格子枠の総ての縦桟を緩挿して、昇降自在な構成にしたので、小動物を拘束固定した後、治療を必要とする箇所の縦桟を上方向に引上げると、縦桟を引上げた箇所で停止させることが出来、格子に妨げられることなく治療行為に必要な作業空間を確保でき、治療作業を容易にする。【００１８】  また、治療後、継続して数日間の養生を必要とする場合も、拘束を解除して又はしないで、この拘束檻をそのまま通常の檻としても利用でき、別な檻に移す手間が掛からない。さらに、台車を使用すれば、拘束檻を所定場所への移動も簡単にできる。【００１９】  また、この発明の檻は、両側面及び前面を格子状とし、檻両側面の首出防止板及び屋根カバーに、透明の合成樹脂板を使用したので、拘束した小動物の全身を外部から死角がない状態で観察でき、術後の観察も充分でき、獣医などの治療者に安心感を与える。【００２０】  さらに、簡便な機構であるから、洗浄も容易であり、且つ故障の発生も極めて少ないので手間が掛らない。
【発明を実施するための最良形態】
【００２１】  この発明で言う小動物とは、獣医学上のいわゆる小動物（犬、猫等体の小さい動物）に分類されているものを意味し、これに準ずるその他の愛玩用（ペット）動物が含まれる。
【００２２】  即ち、獣医学上の大動物と言われる牛、馬等と対比されるものである。小動物の診察治療行為は、例えば筋肉注射、皮下注射、静脈注射、採血、点滴等がある。また、手術後一定期間そのまま拘束の継続を必要とする場合、例えば去勢手術、乳腺腫瘍摘出手術、骨折手術などの場合の術後管理、手術後の手術傷を小動物が舐めて自潰させること等を防止することなども含まれる。
【００２３】  この発明の実施例では、拘束檻の大きさを間口３３５ｍｍ×奥行き８００ｍｍ×高さ６６０ｍｍとしたが、特に大型犬用には、これよりも寸法を大きくした拘束檻を用意して、対応できるのは言うまでもない。
【００２４】  この檻に使用する材料及び各部品の素材は、ステンレス、鉄、アルミニウム、真鍮等その他の合金、合成樹脂、炭素繊維で強化した合成樹脂又は木材等も使用できる。
【００２５】  また、その形状も角材、檻全体の重量を軽減するための中空の四角パイプ、加工した変形四角パイプ、Ｌ形アングル（いわゆるフォーミングアングル）でも良いことは言うまでもない。
【００２６】  この発明の実施例では、素材にステンレス鋼材を使用した。支柱は中空の四角パイプ、横桟に中空のステンレス四角パイプ、縦桟にステンレス丸パイプなどを使用した。また、必要であれば断面形状が方形の中空の変形四角パイプも採用できる。
【００２７】  また、拘束した小動物が暴れて拘束檻に突き当たった場合、変形したり又は破損しない程度の所定強度を持つ素材であればよい。何れにしても、汚物など付着した場合、洗浄して除去し易い表面が平滑な素材が好ましい。
【００２８】  基板は、汚れた場合、洗浄の容易性を考慮して、ステンレス板を使用した。市販のステンレス板を所定の大きさに切断して使用した。載板及び後封鎖板は合成樹脂板を使用できる。
またこの発明の実施例では、基板と支柱、上横桟、中横桟、下横桟などの拘束檻の骨格を構成する材料の固定は、溶接して固定したが、全体の固定箇所を溶接に代えて、螺子止め、合成樹脂の場合は熱溶着、接着剤、木材の場合は釘等により固定しても良い。
【００２９】  次ぎに、檻の構造について説明する。
【００３０】  長方形の基板の四隅に所定の高さの支柱を植設して、各支柱間の上部に梁を架設し各支柱に固定して、拘束檻の骨格を形成する。基板は適宜の厚さの鋼板を使用する。この基板は、拘束檻全体の重量を軽減する為、檻の骨格を形成するのに必要な箇所を除いて、強度を考慮して切欠部を設けて軽量化しても良い。
【００３１】  また、この基板の長辺の上面両側にコロ型又はボールベアリングを設けて、載板の拘束檻への搬入・嵌装する際の滑りを良くすることもできる。載板は、檻の床となるものであり、これに蝶番で後封鎖板が連結されている。
【００３２】  檻の右側面は、支柱間の下部に下横桟、中横桟、上部に上横桟を架設して固定する。上横桟は、支柱の下部から三分の二の高さの位置に架設してあり、右側の側面格子を構成する。残りの上部の三分の一は、檻上部からの小動物の首出しを防止するため、上横桟に透明な合成樹脂板を継ぎ足す。
【００３３】  檻の左側面は、側面格子枠を支柱間に内接する大きさにして、両側の側面格子枠辺の間に、下部に下横桟、中間位置に中横桟、上部に上横桟を架設して固定する。上横桟は、側面格子枠の枠辺の下部から三分の二の高さの位置に取り付けてあり、檻の左側の側面格子枠とする。残りの三分の一は、檻上部からの小動物の首出しを防止するため、上横桟に透明な合成樹脂板を継ぎ足す。
【００３４】  横桟の材料は、四角パイプ、断面形状が鋼板をＺ型に曲げた素材、Ｃ型チャンネル、断面形状が方形の鋼材等を用いてもよい。さらに、下横桟、中横桟、上横桟を同一型の素材を使用することも、下横桟、中横桟、上横桟に夫々異なる型の素材を、適宜組み合わせた構成とすることも選択できる。
【００３５】  また、檻を構成する各部材を、適宜素材の異なるものを組合わせて採用し、檻を構成することもできる。例えば、支柱を金属とし、縦桟を合成樹脂製とするものでも良い。
【００３６】  前記の通り、左側の側面格子枠は両端の支柱間に内接する大きさにして、側面格子枠が、檻前面の支柱の間の上部及び下部に架設した上下２本の掛止用バー上を、摺動して左側の側面格子枠を右側の側面格子（右側の側面格子は固定されていて移動しない。）に対して、平行に摺動（スライド）して前進させ、収容した小動物の大きさに対応して、檻の左右の側面格子枠と側面格子との間隔を自在に狭めて、固定することができる構造である。
【００３７】  前扉は、所定の大きさの枠体に、縦桟を格子状に固定する。これを蝶番を使用した通常のドアー方式としてもよい。また、檻前面の支柱に断面形状がコの字型の縦溝を有する支持柱を一対向き合わせて固定し、この縦溝に前扉を嵌装し、上方に引上げて開閉する（上下のスライド方式）構成としても良い。また前扉の一方にラチェットと、これのストッパーを設けて、引上げた箇所で前扉の落下を防止することもできる。
【００３８】  顎載台は、収容した小動物の上下動を防止する為設けるが、前扉の格子の裏側（檻の内側）下部に、格子に当接して適宜の高さの顎載台の固定用パイプを複数本設けて、これに顎載台に設けた足を挿入して顎載台を固定する。顎載台には、顎載台の固定用パイプに対応した足を設けてある。
１０
【００３９】  また、顎載台は、この発明の実施例では、方形で、且つ断面形状の中央部が下がった緩やかなＵ字型のものを使用したが、下記の形状のものも使用しても良い。
幅７０ｍｍ、９０ｍｍ、１１０ｍｍ、それぞれの長さ２００ｍｍで、各格子の幅１０ｍｍに、小動物の首部が接する箇所を半円形状の抉り部を設け、それぞれの抉り部がφ１００、φ１５０、φ２００、の３種類を用意する。
【００４０】  前記の顎載台の固定用パイプに代えて、檻前面の下部に顎載台の足を嵌脱自在に嵌挿する嵌挿孔を設けて、且つ、顎載台に取り付けた足を、高さを調節を可能にするため、２本のパイプの一方を他方に嵌挿した構成とし、一方を繰出して顎載台の足の高さ調節ができる様にする。これに止めネジを設けて、高さを調節した箇所で固定する。この顎載台は必要のある場合にのみ使用すれば良い。
【００４１】  顎載台を使用しない場合は、首輪に付けた引き綱を、檻の上横桟、中横桟に適宜縛り付けても良いことは、言うまでもない。
【００４２】  また、屋根カバーは、この発明の実施例では、檻の左側の片側のみを跳ね上げて開閉可能にし、檻頂部に屋根カバー支持腕を設けて、これに蝶番等を使用して開閉できる構造のものであれば良い。
【００４３】  以上の構造については、必要に応じて、檻の軽量化の為、鋼材を丸棒に代えたり、強度上の問題がなければ、例えば、前扉の支柱上部の梁を除去する等適宜、省略することもできる。
【００４４】  次に、この拘束檻の側面格子及び側面格子枠は、縦桟が、上横桟、中横桟、下横桟の各横桟を垂直に挿通して昇降自在に緩挿する構成である。縦桟は、パイプ又は棒状材の何れであってもよい。また、その断面形状は、夫々の横桟に設けてある緩挿孔に嵌脱自在に緩挿できるものであれば良く、その形状は問わない。例えば、縦桟に四角柱の鋼材を使用する場合は、各横桟に設ける緩挿孔をこの形状に対応したものとすればよい。
【００４５】  下横桟に設ける縦桟の緩挿孔は、拘束した小動物が暴れたり又は側面格子及び側面格子枠に衝突して衝撃を与えても、縦桟が緩挿孔から、容易に外れない程度の深さにする必要があり、この点を勘案して下横桟の鋼材の大きさを選択決定すればよい。
【００４６】  縦桟は、通常の状態では、縦桟の自重で、横桟の緩挿孔へ格子を形成した状態に維持されている。縦桟を上方に引き上げない限り、常時側面格子及び側面格子枠が形成された状態が維持される。
【００４７】  引き上げた位置で縦桟を停止するのは、拘束檻の上横桟上面又は下面に設けた縦桟停止帯により行われる。前記縦桟停止帯は、ゴム又はスポンジ等の弾性体の帯で、摩擦の大きなものを使用し、縦桟の緩挿孔に対応した箇所に縦桟よりやや小さ目の縦桟の断面形状に相似した孔を空けたものを上横桟の上面又は下面に当接して固定する。
【００４８】  この上横桟に設けてある縦桟停止帯により、引上げられた縦桟は、縦桟の引き上げて止めた箇所で、縦桟を自然落下させないで、停止した状態に維持する働きをする。
【００４９】  また、縦桟停止帯を使用しないで、縦桟を引揚げた箇所の上横桟又は中横桟の上面で、縦桟を市販の目玉クリップ、洗濯挟み等で止めて、縦桟の落下を止めることもできる。
【００５０】  要は、引き上げた縦桟が、自重により自然落下するのを防止すればよく、その他の手段も採用できる。
【００５１】  この発明の拘束檻による小動物の拘束固定方法は、左側の側面格子枠を支柱内に内接する大きさにして、左側の側面格子枠の右側上部及び下部を、檻前面の支柱の上部及び下部に架設した２本の掛止用バーと側面格子枠の枠辺に檻の内側に水平に突接した２つの掛止部材とによって掛止する構造にして、左側の側面格子枠を右側の側面格子に対して、平行に摺動して前進させ、収容した小動物の大きさに対応して、檻の左右の側面格子枠と側面格子との間隔を自在に狭めて調節することにより、小動物の体の側面を両側から挟み付けて固定することを可能にしたものである。
【００５２】  この前記の小動物の拘束固定方法は、大きな物理的な衝撃力を一時に小動物に与えることがなく、拘束檻内に収容した小動物を体の側面から徐々に隙間を狭めて行き、一方の格子状の側面格子に押付けて拘束固定するので、拘束される小動物に恐怖感を与える度合いが少ない方式である。
【００５３】  次に、この側面格子枠を摺動（移動）させる機構を説明する。
【００５４】  檻前面の支柱間の上部及び下部に、摺動する側面格子枠を掛止するための掛止用バーを架設する。この掛止用バーは、釣鐘状のものを連続して並べたものを串に刺した状態のものであり、太い箇所と縊れた箇所とを連続して交互に設けたものであり、掛止用バーの約半分の長さまで設ける。
【００５５】  縊れた箇所で、留め金（ストッパー）などを使用して固定すれば、収容した小動物が暴れて側面格子枠を押し戻す等の行動があっても、側面格子枠の逆戻りを防止することができる。
【００５６】  太い箇所と縊れた箇所とのピッチを変えたものを採用すれば、拘束する小動物を挟んで押える力を細かく調節することができる。
【００５７】  前記の摺動させる側面格子枠の右枠辺の上部及び下部（檻の内側になる方）へ、断面形状がコの字型の所定の長さの掛止部材を、水平に突設して、掛止部材が前記掛止用バーに跨乗した構成にする。
【００５８】  これにより、側面格子枠は、掛止用バー上に、掛止部材により掛止された状態となり、側面格子枠は自在に摺動可能な構造となる。
【００５９】  即ち、側面格子枠に掛止部材を突設してあるが、この突設した掛止部材が掛止用バーに跨乗した状態となる。その結果、側面格子枠の全体が掛止部材を介してこの掛止用バーに掛止められた状態となるので、この側面格子枠を掛止用バーの上をそのまま水平に摺動させて、檻の両側面の間隔を狭めることができ、小動物を挟んで拘束固定するものである。
【００６０】  従って、この機構により、この側面格子枠を側面から人力で檻の内側へ（水平方向）押すと掛止用バーの上を摺動して、小さな力を加えるだけで容易に移動することができる。
また、側面格子枠辺には、移動した側面格子枠を掛止用バーの縊れた箇所に固定する留め金を設けてある。
【００６１】  さらに、この発明の実施例では、この架設用バーは、側面格子枠の右側の片方（檻前面）にのみ設けたものであるから、力の強い大型犬の場合には、押付けた側面格子枠を押し返す力が強いため、十分に拘束することができない場合が生ずるので、これを防止する為、留め金に代えて檻の後部を、別途用意した固定具を用いて、拘束した動物による押戻しを防止することもできる。
【００６２】  この固定具は、歯の粗い櫛状のものを用意し、側面格子枠と側面格子との中横桟の間に差し渡すようにして、櫛の谷部により中横桟同士を固定する。これにより、移動させて、押しつけた側面格子枠の小動物による押し戻しを防止できる。さらに、狭めた側面格子枠の間隔が拡がらないようにすれば良いので、紐、ベルト等で固定して押戻しを防止しても良い。
【００６３】  また、この掛止バーは、拘束檻の前方及び後方の二箇所に架設しても良い。
【００６４】  この掛止バーの形状は、この掛け止めバーの上を側面格子枠が、突設した掛止部材を介して、摺動する構造なので、前記の形状に限らず、パイプ、丸棒、角材、角パイプなどであってもよく、ストッパー（例えば、ピン孔とピンなど）を設ければどの様な形状のものであっても良い。
【００６５】  以下にこの拘束檻の使用方法を説明する。
【００６６】  この拘束檻は、床に拘束檻を置いた状態、拘束檻が載せられる大きさの診察台の上又はこの発明の別途用意した台車に載せるなど何れの状態でも使用できる。
【００６７】  先ず、床に置いた状態の拘束檻に、収容する小動物を載板の上に乗せて、これをそのまま引き摺って、拘束檻の後部から、檻内に小動物と共に収容する。次いで、後封鎖板を垂直に立てて、封鎖して小動物の檻からの脱出を防止する。後封鎖板を外側から、後封鎖板が倒れないようにＬ字型の支持具で垂直に固定する。
【００６８】  比較的小さく大人しく暴れない小動物は、載板を初めから、拘束檻に収納した状態にして、檻上部の屋根カバーを開いて、抱きかかえた小動物を檻の上から檻に入れても良い。
【００６９】  小動物の拘束・固定は、拘束檻に収容した小動物を、左側の側面格子枠を、右側の側面格子の方向へ人力で押して前進させて、側面格子枠と側面格子の両方で、挟みつける様にし、収容した小動物が自由に動けない状態になるまで押付けて、適当な処で左側の側面格子枠の前進を止めて、拘束・固定する。
【００７０】  拘束檻に収容した小動物を、小動物の体の側面から左側の側面格子枠で押さえつけて徐々に拘束固定するので、拘束される小動物は、ごく自然におとなしく拘束固定される。また、大きさの異なる小動物であっても、側面格子枠の間隔を調節することにより、対応することができる。
【００７１】  顎載台は、小動物の上下動防止の目的を有するが、拘束する動物の大きさに応じて、大きさの異なる大、中、小の３種類を用意して、拘束する動物の大きさに適合するものを選択して設置すれば、ほぼ総ての小動物に対応できる。
【００７２】  顎載台の大きさを選択決定した後、顎載台に顎を載せ、首輪につけた引き綱を上横桟に長さを調節して固定すると、首の上下の動きを掣肘することができる。
顎載台の高さは、檻に収容した小動物の顎の位置に合わせて、前扉の上下によって調節する。
【００７３】  この発明の拘束檻は、檻の縦桟を各横桟に昇降自在に緩挿した構成にしたので、小動物を拘束固定した後、治療を必要とする箇所の縦桟を上方向に引上げると、縦桟停止帯により、縦桟が引上げた箇所で停止させることができるので、治療行為に必要な作業空間を創出して確保でき、治療行為が檻の縦桟で妨げられることがないので、治療作業を容易にするものである。
【００７４】  前記の構成により、診療に際しては、拘束・固定した小動物の必要な治療個所に対応した箇所（例えば後足）の必要な本数の縦桟を上方向に引上げ、これの落下を停止すれば、診察又は治療に必要な作業空間を創出することができる
【００７５】  また、診察又は治療が終わった時は、上方向に引き上げた状態で停止させてあった縦桟を、下方向に垂直に引下げ、縦桟を下横桟に設けてある緩挿孔に緩挿すれば元の格子状態に復帰させることができる。
【００７６】  また、必要であれば、点滴用の点滴バッグを吊るす支柱を檻に取付けても良い。また、体力を消耗して、自力できない小動物に対しては、別途用意したベルトで腹部を下から支え、ベルトを中横桟に固定すれば、治療行為を容易にすることもできる。
【００７７】  次いで、診察、治療が終了した時は、前扉を上方向に引き上げて、ラチェットのストッパーで前扉の落下を防止してから、小動物を檻から引き出す。
【００７８】  また、診察、治療を行った後、数日間の入院を必要とする場合（例えば数日間に亘り継続して治療、点滴を行う場合等）、側面格子枠による拘束、固定を解除して、又は拘束を解除しないで、このまま入院用又は養生用の檻として使用でき、従って、他の檻などに移し替える手間がかからない。
【００７９】  また、必要に応じて、別途用意した専用のキャスター付きの台車を使用し、この台車に拘束檻を載せて、所定場所への移動も一人で簡単にできる。
【００８０】  以下にこの発明の実施例を図１〜８図に基づいて説明する。
【実施例１】
【００８１】  厚さ２ｍｍ、８００ｍｍ×３３５ｍｍの基板２の四隅に、中空のステンレス角型鋼材（角形パイプ・肉厚１．５ｍｍ）２２ｍｍ×２２ｍｍ×５６０ｍｍ（高さ５６０ｍｍ）の支柱３、３ａ、３ｂ、３ｃ（４本）を、夫々溶接により植設する。次いで支柱３と３ａ、３ａと３ｂ、３ｂと３ｃの各支柱の上部間に、梁を架設し固定して檻の骨格を形成する（図１）。【００８２】  檻の右側の支柱３、３ａ間に、断面形状が方形の中空のステンレス鋼材（２２ｍｍ×２２ｍｍ×７５６ｍｍ）で、支柱の高さの三分の二の位置に（高さ３９０ｍｍ）、上横桟４、中横桟５下横桟６、を夫々水平に架設して側面格子８を形成する。【００８３】  次いで、檻の左側の支柱３ｂ、３ｃの間に内接する大きさに側面格子枠１１を作る。一対の側面格子枠辺１０、１０ａの間に上横桟４ａ、中横桟５ａ、下横桟６ａを夫々水平に架設して側面格子枠１１とする（図４）。
残りの三分の一の高さは、高さ１５０ｍｍの透明の合成樹脂板を上横桟に取り付ける。【００８４】  次いで、側面格子８及び側面格子枠１１の各上横桟４、４ａ、中横桟５、５ａ、下横桟６、６ａを、垂直に連通して緩嵌するステンレスパイプの縦桟７（直径８ｍｍ、長さ４２０ｍｍ）の緩挿孔を、略等間隔（５０ｍｍ）に、側面格子枠には１４本、側面格子８には、１５個を設ける。【００８５】  この各緩挿孔に縦桟７を緩挿すると格子状の檻１の両側の側面となる。前記支柱３、３ａ、３ｂ、３ｃ、上横桟４、４ａ、中横桟５、５ａ、下横桟６、６ａに縦桟７を挿通して、拘束檻の側面格子枠１１及び側面格子８を形成する。【００８６】  次に、前記両上横桟４、４ａの下部に、厚さ２ｍｍ、幅２２ｍｍ、長さ７５６ｍｍの柔軟性のある合成ゴム帯で、摩擦の大きなものを選択して、縦桟７の断面の半径よりやや小さめの半径の透孔を、縦桟７の緩挿孔の間隔に対応した位置に合わせて設ける。縦桟７と強く摩擦が起きるように配置して、接着剤で前記上横桟下部に縦桟停止帯２２、２２ａを貼付ける（図４）。【００８７】  この縦桟停止帯２２は、檻１の側面格子８又は側面格子枠１１の縦桟７を上方向へ引き上げた場合、縦桟７を引上げた位置で縦桟停止帯２２ａの合成ゴム帯との摩擦抵抗により縦桟７の自重による自然落下を妨げて、縦桟７を引き上げたままの状態に保持することができる。【００８８】  次いで、前扉９は、ステンレスパイプを曲げて形成した長方形の枠体に、縦桟７を格子状に７本固定して形成する。前扉９は、直径８ｍｍステンレスパイプで、２８７ｍｍ×５６０ｍｍの長方形の枠にしたものに、縦桟７を８本を枠に配して溶接固定して格子状に構成する。【００８９】  支柱３ａ、３ｂ間に、断面形状がコの字型の縦溝を有する支持柱の一対を縦溝を対向させて、支柱３ａ、３ｂに固定し、扉枠の右側にラチェット２３を取り付ける。次いで前扉９は、これを前記縦溝の間に嵌装して、ラチェット２３を介して、上下（スライド）させて自在に開閉できる構造である。【００９０】  次いで、側面格子枠１１を移動させる機構を説明する。【００９１】  支柱間３ａ、３ｂ間の上部に、移動する側面格子枠１１を掛止するための掛止用バー１１ａ、下部に１１ｂを架設して両端部を夫々固定する。【００９２】  この掛止用バー１１ａ、１１ｂは、小さな釣鐘状の形状のものを連続して並べたものを串に刺した状態のものであり（φ１２）、太い箇所と縊れた箇所とを連続して交互に設けたものであり、掛止用バー１１ａ、１１ｂの約半分の長さまで設けてある。【００９３】  掛止用バー１１ａ、１１ｂの縊れた箇所で、常法の留め金１１ｅ、１１ｆ（ストッパー）などを使用して固定すれば、収容した小動物が暴れて側面格子枠１１を押し戻す等の行動があっても、側面格子枠１１の逆戻りを防止することができる。【００９４】  この掛止用バー１１ａ、１１ｂは、太い箇所と縊れた箇所とのピッチを変えたものを採用すれば、拘束する小動物を挟んで押える力を細かく調節することができる。【００９５】  前記の移動させる側面格子枠１１の右側格子側面枠辺１０の上部及び下部の裏側（檻の内側になる方）へ、断面形状がコの字型の掛止部材（１５ｍｍ×１５ｍｍ×長さ１００ｍｍ）１���ｃ、１１ｄの開口部を下向きにして、掛止部材１１ｃ、１１ｄを水平に突設（溶接などで固定）する。【００９６】  即ち、突設した掛止部材１１ｃ、１１ｄが、前記掛止用バー１１ａ、１１ｂに跨乗する構成にする。これにより、側面格子枠１１は、掛止用バー１１ａ、１１ｂにより掛止され摺動可能な構造となる。【００９７】  従って、この機構により、側面格子枠１１は、掛止部材１１ｃ、１１ｄにより掛止（吊下げられた）された状態となるので、この側面格子枠１１を側面から人力で取手１９を握って、檻の内側へ（水平方向）押すと掛止部材１１ｃ、１１ｄが架設用バー１１ａ、１１ｂの上を摺動して、小さな力を加えるだけで、矢示２５の方向へ、又矢示２６の方向へ引き戻すことが容易にできる。【００９８】  載板１５は、体長の短い小動物を載板１５に載せて拘束檻１に収容した場合、後封鎖板１６を体長に合わせて檻内を前進させるため、載板１５を前方向へ突出可能な構成にしてある。【００９９】  顎載台の足を挿入して固定するパイプ１２は、前扉９の縦桟の裏側に当接して、前扉下部から高さ５０ｍｍの位置に溶接固定する。顎載台１３は、台の中央部が下った全体が緩やかなＵ字状で、幅７０ｍｍ、９０ｍｍ、１１０ｍｍ、それぞれの長さ２００ｍｍ、各格子の幅１０ｍｍの３種類を用意した。【０１００】  この顎載台１３は、収容する動物の大きさを勘案して、大、中、小の中から適合したものを選択して、パイプ１２に、顎載台１３に設けた棒状の固定足１４、１４ａを前記パイプ１２に嵌挿して装着する。
檻前面の支柱に固定した縦溝に嵌装した前扉９を上下させて、顎載台１３の高さを収容する動物に合わせて調節できる。【０１０１】  載板１５（厚さ１０ｍｍ、２９１ｍｍ×１０００ｍｍ）と後封鎖板１６（厚さ１０ｍｍ、３８０ｍｍ×２９１ｍｍ）とは、後封鎖板１６を内側に折曲げ垂直に立てた場合、９０度で停止する蝶番１７、１７ａを２個使用して、連結してある。後封鎖板１６は、拘束檻１の後部を封鎖する。【０１０２】  載板１５は
、拘束檻１の底部内側に収納できる大きさであり、後封鎖板１６は、拘束檻１の後面を、垂直に立てた状態にして後部をＬ字型の止具（図示していない。）で封鎖する。載板１５及び後封鎖板１６は、汚物の洗浄等の容易性を考慮して市販の表面の平滑な合成樹脂板を使用した。【０１０３】  拘束檻１の梁の上に、檻の上部の中心に、屋根カバーの支持腕を配し、蝶番で固定した左側面の方を跳ね上げる方式の透明の合成樹脂製（厚さ５ｍｍ、高さ２０ｍｍ）の屋根カバー１８を載せる。【０１０４】以上により、外寸の間口３５５ｍｍ×奥行き８００ｍｍ×高さ６６０ｍｍ（屋根カバーを含む）の拘束檻１が得られる。この拘束檻１の寸法は、特別体躯の大きな小動物を除き、殆どの小動物に対応可能な寸法である。【０１０５】  台車２０は、拘束檻１をこの上に乗せられる大きさで、厚さ１０ｍｍ、４００ｍｍ×１０００ｍｍの合成樹脂板を使用し、台車２０の裏側四隅にキャスター（車）２１、２１ａ、２１ｂ、２１ｃを取付けたものである。【０１０６】  次に、この拘束檻１の作用及び使用方法について説明する。【０１０７】  まず、拘束檻１の前扉９を閉鎖して置く。収容する小動物に大きさに合わせ、顎載台１３を大、中、小の内から適合したものを選択して、前扉９の縦桟裏側に設けたパイプ１２に顎載台１３の固定足を、嵌挿して固定する。【０１０８】  この場合、顎載台１３が拘束する小動物の体の中心となるように調整して、設定する必要がある。顎載台１３は、大、中、小の３種類を用意してあるので、収納する小動物の大きさに適したものを選択する。【０１０９】  次いで、拘束檻１の外に用意した載板１５に、収容する小動物を乗せ、これをそのまま引き摺って、拘束檻１の後側から、載板１５を拘束檻１の内側に嵌装し、載板１５に連結されている後封鎖板１６を垂直に折り曲げて、拘束檻の後部を封鎖し、後封鎖板１６をＬ字型の止め具で固定する。これにより、小動物を拘束檻１内に完全に閉じ込めた状態となる。収容する小動物の頭部が顎載台１３のある前扉９の方を向くように、収容する。【０１１０】  抱きかかえられる大きさの小動物は、あらかじめ載板１５を拘束檻１内に嵌装し、後封鎖板１６で封鎖した状態にして、屋根カバー１８を開けて、拘束檻１の上方から収容しても良い。【０１１１】  この後、顎載台１３に顎を載せたままの状態にして、首輪に付けた引き綱の長さを調整し、檻の適宜な場所に縛り付けて、小動物の上下及び前後の自由な動きを封止する。顎載台１３の高さの調製は、収容した小動物の大きさに合わせて、前扉９を上下させて調節し、適当な高さで固定する。【０１１２】  次に、取手１９を握って、側面格子枠１１を、側面格子８の方向へ押して、矢示２５の方向に平行に摺動させて、小動物の体を、側面格子８に、徐々に押し付けて、適当な処で留め金１１ｅ、１９ｆで側面格子枠１１の位置を、掛止バー１１ａ、１１ｂに固定し、自由な動きを封じ、拘束固定する。【０１１３】  この側面格子枠１１は、前進後退可能に且つ、押さえつける強さも調節でき、大きさの異なる小動物の拘束固定にも対応できる。【０１１４】  この拘束檻１を使用すると、診察及び治療に際し、診察・治療を必要とする箇所の（例えば、右後脚である場合）、それ��対応する箇所の縦桟７を矢示２７の方向に引き上げると、縦桟７は、縦桟停止帯２２により、縦桟７は引き上げられた状態で停止するので、縦桟２本分の隙間（１００ｍｍ）が創出でき、診療又は治療行為をする作業空間の確保ができる。【０１１５】  更に広い作業空間を必要な場合、隣接する２本の縦桟７を矢示２７、矢示２８の方向へ引き上げれば、縦桟停止帯２２の作用により、縦桟７の落下が阻止され、更に広い作業空間を確保できる。【０１１６】  この引き上げられて中間位置に停止した状態の縦桟７は、診療又は治療を終了した後、手で縦桟７を下方向の引き下げれば、縦桟７は下横桟６に設けられている緩挿孔に緩挿され、側面格子８又は側面格子枠１１を構成し、元の側面格子８又は側面格子枠１１の状態に復帰する。【０１１７】  また、手術後一定期間そのまま拘束の継続を必要とする場合、例えば去勢手術、乳腺腫瘍摘出手術、骨折手術などの場合の術後管理、手術後の手術傷を舐めて自潰を防止することもできる。【０１１８】  診察又は治療が終了し、小動物を開放する場合、側面格子枠１１を矢示２６の方向に移動させて拘束を解き、前扉９を開けて、小動物を引き出す。【０１１９】  また、診療完了後は、小動物を収納したまま、キャスターつきの台車２０を使用し、拘束檻１を台車２０に載せて所定場所に容易に移動させることができる。
この台車２０は必要に応じて使用すれば良い。
また、小動物の拘束固定を解き、この拘束檻１を養生用の檻として、そのまま継続して使用すれば、他の檻への移し替えの手間がかからず便利である。【０１２０】  この発明の小動物を拘束固定する為の操作は及び拘束檻の１の置場所の移動は台車２０を使用すれば補助者が居なくとも、獣医師一人で安全に且つ簡単に行うことができる。
【図面の簡単な説明】
【０１２１】
【図１】この発明の拘束檻を台車にのせた状態を示す一部省略した斜視図。
【図２】同じく、拘束檻の正面図。
【図３】同じく、拘束檻の拡大右側面図。
【図４】同じく、拘束檻の側面格子枠の拡大左側面図。
【図５】同じく、拘束檻の一部省略平面図。
【図６】同じく、図５中、Ａ−Ａの拡大断面図。
【図７】同じく、図５中、Ｂ−Ｂの拡大断面図。
【図８】同じく、前扉の一部拡大図。
【符号の説明】
【０１２２】１  拘束檻
２  基板
３、３ａ、３ｂ、３ｃ  支柱
４、４ａ  上横桟
５、５ａ  中横桟
６、６ａ  下横桟
７  縦桟
８  側面格子
９  前扉
１０、１０ａ  側面格子枠辺
１１  側面格子枠
１１ａ、１１ｂ  掛止用バー
１１ｃ、１１ｄ  掛止部材
１１ｅ、１１ｆ  留め金
１２  パイプ
１３  顎載台
１５  載板
１６  後封鎖板
１７、１７ａ  蝶番
１８  屋根カバー
１９  取手
２０  台車
２１、２１ａ、２１ｂ、２１ｃ  キャスター
２２、２２ａ  縦桟停止帯
２３  ラチェット
【図１】
2005073686.tif 000003
【図２】
2005073686.tif 000004
【図３】
2005073686.tif 000005
【図４】
2005073686.tif 000006
【図５】
2005073686.tif 000007
【図６】
2005073686.tif 000008
【図７】
2005073686.tif 000009
【図８】
2005073686.tif 000010